(57)【特許請求の範囲】
【請求項１】
コンクリート製の底壁と、この底壁上に設けられた上方に凸のほぼ半球状のコンクリート製の壁部とからなり、その内部閉塞空間にごみが投入されるドーム型ごみ処分場において、
前記壁部の周方向に間隔をおいた複数箇所に設けられ、前記壁部の外部から前記閉塞空間の内部に、前記閉塞空間内で渦流が生じる方向に外気が導入される換気口と、
前記壁部の上部に設けられた排気用ファンと、
を備えることを特徴とするドーム型ごみ処分場の換気構造。
【請求項２】
前記周方向に間隔をおいて設けられた複数の換気口は、一定の高さ毎にそれぞれ設けられていることを特徴とする請求項１記載のドーム型ごみ処分場の換気構造。
【請求項３】
前記各換気口には、該換気口を密閉するための蓋が設けられていることを特徴とする請求項１または２記載のドーム型ごみ処分場の換気構造。
【発明の詳細な説明】
【０００１】
【発明の属する技術分野】
本発明はドーム型ごみ処分場の換気構造に関する。
【０００２】
【従来の技術】
コンクリート製の底壁と、この底壁上に設けられた上方に凸のほぼ半球状のコンクリート製の壁部とからなるドーム型ごみ処分場が、近年提供されつつある。
このドーム型ごみ処分場の多くは、膜体を上方に凸のほぼ半球状に膨らませ、この膜体の上にコンクリートを吹き付け、硬化させて構築できることから、コンクリート型枠の組み立て、撤去作業が不要となり、工期の短縮化、コストダウンを図れるなどの利点を有している。
ドーム型ごみ処分場では、底壁と半球状の壁部によりその内部に閉塞空間を形成し、この閉塞空間にごみを投入していくものであり、閉塞空間内でごみが満杯になったところでドーム型ごみ処分場に盛り土され、跡地として公園などに利用されるものである。
【０００３】
【発明が解決しようとする課題】
ところでこのようなドーム型ごみ処分場においては、先々跡地利用できるように、内部に投入されたごみの有害物は安定化（ごみの中に含まれている有害成分を取り除くか、雨水や地下水に触れても溶出しないような処理をすること）させておく必要がある。
また、ドーム型ごみ処分場ではダンプトラックなどによりごみがごみ投入口から投入されるが、ごみ投入口を開けた際に、内部のごみがごみ投入口から外部に飛散しないようにしておく必要がある。
本発明は前記事情に鑑み案出されたものであって、本発明の目的は、ごみに含まれる有害物の安定化を促進でき、また、ごみ投入口を開けた際にごみ投入口からのごみの飛散を防止できるようにしたドーム型ごみ処分場の換気構造を提供することにある。
【０００４】
【課題を解決するための手段】
前記目的を達成するため本発明は、コンクリート製の底壁と、この底壁上に設けられた上方に凸のほぼ半球状のコンクリート製の壁部とからなり、その内部閉塞空間にごみが投入されるドーム型ごみ処分場において、前記壁部の周方向に間隔をおいた複数箇所に設けられ、前記壁部の外部から前記閉塞空間の内部に、前記閉塞空間内で渦流が生じる方向に外気が導入される換気口と、前記壁部の上部に設けられた排気用ファンとを備えることを特徴とする。
また、本発明は、前記周方向に間隔をおいて設けられた複数の換気口は、一定の高さ毎にそれぞれ設けられていることを特徴とする。
また、本発明は、前記各換気口には、該換気口を密閉するための蓋が設けられていることを特徴とする。
【０００５】
本発明によれば、排気用ファンの駆動により閉塞空間に負圧が生じ、大気が各換気口を通って閉塞空間内に吸い込まれる。そして、閉塞空間に大きな直径の渦流が生じ、ごみの表面の全域上において空気が流動する。
これにより好気性微生物の生態が活発化し、有害物が分解され、有害物の安定化が促進される。更に、密閉されたドーム内部で作業する必要がある場合、ドーム内部を安全な環境に保全できる。
また、換気口を閉じて排気用ファンを駆動させると、閉塞空間が負圧となり、この状態でごみ投入口を開ければ、内部のごみがごみ投入口から外部に飛散されることを防止できる。
【０００６】
【発明の実施の形態】
以下、本発明の実施の形態を図面に基づいて説明する。
図１はドーム型ごみ処分場の断面正面図、図２は換気口部分におけるドーム型ごみ処分場の断面平面図を示す。
ドーム型ごみ処分場１２は、コンクリート製の底壁１４と、この底壁上に設けられた上方に凸のほぼ半球状（ドーム型）のコンクリート製の壁部１６とからなり、それらの内部に閉塞空間１８が形成されている。
前記底壁１４は遮水機能を備え、ドーム型ごみ処分場１２は壁部１６の下端まで土中に埋設され、側部にごみ投入口２０が設けられ、ごみ投入口２０は蓋２２により開閉されるように構成されている。なお、図１において符号２４はごみ投入口２０に至るように盛り土されたダンプトラック走行用の道路を示し、また、符号２５は閉塞空間１８に投入されたごみを示す。
【０００７】
前記底壁１４から一定の高さの壁部１６箇所で周方向に間隔をおいた複数箇所に換気口２６がそれぞれ設けられ、前記高さよりも高い一定の高さの壁部１６箇所で周方向に間隔をおいた複数箇所に換気口２７がそれぞれ設けられ、壁部１６の上部中央に排気用ファン２８が設けられている。
各換気口２６、２７は、換気口２６、２７を通り壁部１６の外部から閉塞空間１８へ導入される空気の流れが、前記閉塞空間１８内で渦流（Ａ）を生じさせるような向きで形成されている。具体的には、換気口２６、２７の軸心を壁部１６に対して斜めに形成することで、あるいは、導風板などを設けることで、換気口２６、２７から導入される空気の流れが渦流（Ａ）を生じさせるような向きに形成されている。
また、各換気口２６、２７には、換気口２６、２７を密閉して閉塞するための蓋３０が設けられている。
前記排気用ファン２８は、閉塞空間１８内の空気を外部に放出させるためのものである。
【０００８】
本実施の形態によれば、下位の各換気口２６を開放し上位の各換気口２７を閉じた状態で排気用ファン２８を駆動させると、排気用ファン２８により閉塞空間内の空気が排気用ファン２８を通って外部に放出される。
このような排気用ファン２８の駆動により、閉塞空間１８に負圧が生じ、大気が各換気口２６を通って閉塞空間１８内に吸い込まれる。そして、各換気口２６を通る空気の流れにより、ごみ２５の上の残りの閉塞空間１８に大きな直径の渦流が生じ、ごみ２５の表面の全域上において空気が流動する。
これにより、ごみ２５中の好気性微生物の生態が活発化し、好気性微生物が呼吸することで、あるいは体内で吸収することで有害物が分解され、空気の流れの少ない箇所に生息する嫌気性微生物と共に有害物を分解し、有害物の安定化が促進される。
【０００９】
そして、ごみ２５の量が増えごみ２５の表面の高さが換気口２６よりも大きくなった時には、下位の各換気口２６を閉じ上位の各換気口２７を開放した状態で排気用ファン２８を駆動させると、上記と同様に、ごみ２５の上の残りの閉塞空間１８に大きな直径の渦流が生じ、ごみ２５中の好気性微生物の生態が活発化し、有害物の安定化が促進される。
また、蓋３０により換気口２６、２７を閉じた状態で排気用ファン２８を駆動させると、閉塞空間１８を負圧に維持することができる。
したがって、ごみの投入時、このように閉塞空間１８を負圧に維持した状態でごみ投入口２０の蓋２２を開ければ、内部のごみ２５がごみ投入口２０から外部に飛散されることを防止できる。
【００１０】
【発明の効果】
以上の説明で明らかなように本発明は、コンクリート製の底壁と、この底壁上に設けられた上方に凸のほぼ半球状のコンクリート製の壁部とからなり、その内部閉塞空間にごみが投入されるドーム型ごみ処分場において、前記壁部の周方向に間隔をおいた複数箇所に設けられ、前記壁部の外部から前記閉塞空間の内部に、前記閉塞空間内で渦流が生じる方向に外気が導入される換気口と、前記壁部の上部に設けられた排気用ファンとを備える構成とした。
そのため、本発明によれば、排気用ファンにより閉塞空間に負圧が生じ、大気が各換気口を通って閉塞空間内に吸い込まれる。
これにより、閉塞空間に大きな直径の渦流が生じ、好気性微生物の生態が活発化し、有害物の安定化が促進される。
また、換気口を閉じて排気用ファンを駆動させると閉塞空間が負圧となるので、この状態でごみ投入口を開ければ、内部のごみがごみ投入口から外部に飛散されることを防止できる。
【図面の簡単な説明】
【図１】ドーム型ごみ処分場の断面正面図である。
【図２】換気口部分におけるドーム型ごみ処分場の断面平面図である。
【符号の説明】
１２  ドーム型ごみ処分場
１６  壁部
１８  閉塞空間
２６，２７  換気口
２８  排気用ファン
【図１】
0004033277.tif 000002
【図２】
0004033277.tif 000003